(57)【特許請求の範囲】
【請求項１】
既設のプラント設備の構成機器と第１の制御系ネットワークを介して相互通信可能に接続され、前記構成機器を電気的に制御するための制御信号を出力する既設コントローラと、
前記第１の制御系ネットワークに通信可能に接続され、前記第１の制御系ネットワークに伝送されている前記既設コントローラと前記構成機器との間で通信される少なくとも前記制御信号を含む信号データを収集するデータ収集装置と、
前記データ収集装置により収集された前記信号データを蓄積保存するデータ蓄積手段と、
第２の制御系ネットワークに通信可能に接続され、前記データ蓄積手段に蓄積保存されている前記信号データを、前記第２の制御系ネットワークに再生出力するデータ再生装置と、
前記第２の制御系ネットワークに通信可能に接続され、前記構成機器を電気的に制御するための制御信号を出力する機能を有する新設コントローラと、
前記第２の制御系ネットワークに通信可能に接続され、前記データ再生装置から再生出力された前記信号データと、前記新設コントローラから出力された制御信号とを比較照合するデータ比較照合装置と、を備えたことを特徴とするプレイバックシミュレーション試験システム。
【請求項２】
前記データ蓄積手段は、前記データ収集装置に前記信号データが受信された順序及び時間間隔の関係を維持した状態で前記信号データを記憶し、
前記データ再生装置は、前記データ蓄積手段に蓄積保存されている前記信号データの順序及び時間間隔の関係を維持した状態で前記信号データを再生出力することを特徴とする請求項１に記載のプレイバックシミュレーション試験システム。
【請求項３】
前記データ蓄積手段は、前記データ収集装置及び前記データ再生装置の双方に対して着脱自在であることを特徴とする請求項１又は請求項２のいずれかに記載のプレイバックシミュレーション試験システム。
【請求項４】
前記データ収集装置は、信号データを収集する期間及び収集する信号データ種別を任意に設定可能であることを特徴とする請求項１から請求項３のいずれかに記載のプレイバックシミュレーション試験システム。
【請求項５】
前記データ再生装置は、前記データ蓄積手段に蓄積保存されている信号データのうち、再生出力する期間及び信号データ種別を任意に設定可能であることを特徴とする請求項１から請求項４のいずれかに記載のプレイバックシミュレーション試験システム。
【発明の詳細な説明】
【技術分野】
【０００１】
この発明は、プレイバックシミュレーション試験システムに関するものである。
【背景技術】
【０００２】
一般にプラント設備を構成する各機器の動作を制御するコントローラを新しいものに置換する、あるいは、新たにコントローラを追加する際に、この新設したコントローラの制御によるプラント設備の動作確認や調整を実施することが必要である。
【０００３】
従来においては、このような場合に、現地において既設プラント設置に対して新設コントローラを接続し、既設コントローラによる制御と新設コントローラによる制御とにより平行してプラントを運転することにより、置換、更新する新設コントローラの新機能と既設コントローラの制御機能とにより出力される制御信号を比較照合して確認、調整するいわゆるパララン照合が実施されていた。
【０００４】
しかしながら、このようなプラント設備現地におけるパララン照合においては、パララン照合作業がプラントの操業計画や操業状態に左右されてしまうという問題や、プラントが稼動中であるため、任意を対象とした照合が困難であり効率が悪く、現地調整工数が増大してしまうという問題等があった。
【０００５】
そこで、既設コントローラ内部から時系列で採取した制御バスデータを時系列データとして取り込み、新設コントローラを模擬するソフトウェアを有する仮想コントローラに、この取り込んだ制御バスデータを共有メモリを介して入力し、仮想コントローラのソフトウェアにて実行してシミュレーションを行うプレイバックシミュレータ装置を用いて、新設コントローラの動作確認を行うことも従来において知られている（例えば、特許文献１参照）。
【先行技術文献】
【特許文献】
【０００６】
【特許文献１】特開２００６−１６３６５７号公報
【発明の概要】
【発明が解決しようとする課題】
【０００７】
このように、特許文献１に示された従来におけるプレイバックシミュレータ装置は、新設されるコントローラの有する機能をソフトウェアによって模擬的に計算機上に全て再現し、この模擬的な環境において新設コントローラの動作確認を行うものである。
【０００８】
しかしながら、このような特許文献１に示された従来におけるプレイバックシミュレータ装置においては、新設コントローラの機能や現地プラント設備の操業状態、機器の制御状態を模擬した信号をソフトウェアによって計算機上に全て再現するため、製作や試験に多大な費用と期間を要するという課題がある。また、ソフトウェアで製作された模擬的環境と、実際に現地の機器動作状態との乖離が発生する可能性があり、現地でのパララン照合環境との等価性の保証という観点から問題があるという課題もある。
【０００９】
この発明は、このような課題を解決するためになされたもので、現地でのパララン照合環境と等価なシミュレーション試験環境を容易に構築し、より正確に新設コントローラの動作確認や調整を実施することができるプレイバックシミュレーション試験システムを得るものである。
【課題を解決するための手段】
【００１０】
この発明に係るプレイバックシミュレーション試験システムにおいては、既設のプラント設備の構成機器と第１の制御系ネットワークを介して相互通信可能に接続され、前記構成機器を電気的に制御するための制御信号を出力する既設コントローラと、前記第１の制御系ネットワークに通信可能に接続され、前記第１の制御系ネットワークに伝送されている前記既設コントローラと前記構成機器との間で通信される少なくとも前記制御信号を含む信号データを収集するデータ収集装置と、データ収集装置により収集された前記信号データを蓄積保存するデータ蓄積手段と、第２の制御系ネットワークに通信可能に接続され、前記データ蓄積手段に蓄積保存されている前記信号データを、前記第２の制御系ネットワークに再生出力するデータ再生装置と、前記第２の制御系ネットワークに通信可能に接続され、前記構成機器を電気的に制御するための制御信号を出力する機能を有する新設コントローラと、前記第２の制御系ネットワークに通信可能に接続され、前記データ再生装置から再生出力された前記信号データと、前記新設コントローラから出力された制御信号とを比較照合するデータ比較照合装置と、を備えた構成とする。
【発明の効果】
【００１１】
この発明に係るプレイバックシミュレーション試験システムにおいては、現地でのパララン照合環境と等価なシミュレーション試験環境を容易に構築し、より正確に新設コントローラの動作確認や調整を実施することができるという効果を奏する。
【図面の簡単な説明】
【００１２】
【図１】この発明の実施の形態１に係るプレイバックシミュレーション試験システムにおいてデータを収集する際の構成を説明するブロック図である。
【図２】この発明の実施の形態１に係るプレイバックシミュレーション試験システムにおいてデータを再生及び比較照合する際の構成を説明するブロック図である。
【発明を実施するための形態】
【００１３】
この発明を添付の図面に従い説明する。各図を通じて同符号は同一部分又は相当部分を示しており、その重複説明は適宜に簡略化又は省略する。
【００１４】
実施の形態１．
図１及び図２は、この発明の実施の形態１に係るもので、図１はプレイバックシミュレーション試験システムにおいてデータを収集する際の構成を説明するブロック図、図２は同試験システムにおいてデータを再生及び比較照合する際の構成を説明するブロック図である。
【００１５】
（データの収集）
まず、この発明に係るプレイバックシミュレーション試験システムにおいてデータを収集する際の構成を図１を参照しながら説明する。この図１において、１は、既設のプラント設備において当該プラント設備を構成する各種の機器の間で、動作制御等に必要な信号をやり取りするための既設制御系ネットワークである。この既設制御系ネットワーク１は、例えばＴＣＰ／ＩＰ等を利用したＬＡＮ（Ｌｏｃａｌ  Ａｒｅａ  Ｎｅｔｗｏｒｋ）から構成されている。
【００１６】
既設制御系ネットワーク１には、既設プラント設備の構成機器である既設上位計算機２、既設コントローラ３、インバータ４、センサ／アクチュエータ５及びフィールド機器６が、通信可能に接続されている。
【００１７】
既設上位計算機２には、当該プラント設備で実施される工程のそれぞれについて既設コントローラ３での制御に用いるパラメータ設定値が予め設定されている。そして、既設上位計算機２は、各工程の開始時等の適時に、その工程で用いられるパラメータ設定値を既設制御系ネットワーク１を介して既設コントローラ３へと送信する。また、既設上位計算機２には、当該プラント設備で実施される工程のタイムスケジュールについても予め設定されており、各工程の開始・終了時等には、各プラント構成機器の動作タイミングを同期するためのタイミング信号を既設制御系ネットワーク１へと出力する。
【００１８】
既設コントローラ３は、インバータ４、センサ／アクチュエータ５やフィールド機器６に対して制御信号を出力し、これらの機器の動作を時間的に適切な相互関係を保った状態で電気的に制御するためのものである。この既設コントローラ３は、例えばプログラマブル・ロジック・コントローラ（ＰＬＣ：Ｐｒｏｇｒａｍｍａｂｌｅ  Ｌｏｇｉｃ  Ｃｏｎｔｒｏｌｌｅｒ）からなっている。
【００１９】
既設コントローラ３は、既設上位計算機２から出力されたパラメータ設定信号及びタイミング信号、並びに、センサ／アクチュエータ５やフィールド機器６から出力されたフィードバック信号に基づいて、出力すべき制御信号を演算して、既設制御系ネットワーク１を介して必要な機器へと制御信号を送信している。
【００２０】
インバータ４はプラント設備を駆動する電動モータ等へと例えば可変電圧可変周波数の電力を供給するためのものである。センサ／アクチュエータ５は、プラント制御に必要な物理量を計測するセンサやプラント機器を駆動するアクチュエータである。フィールド機器６は、センサ／アクチュエータ５とほぼ同様、プラント設備の構成要素を総称したものであり、例えば圧力計、流量計やバルブ等が含まれる。
【００２１】
これらのプラント構成機器群は、既設コントローラ３からの制御信号に従って動作し、また、センサ／アクチュエータ５やフィールド機器６による計測結果はフィードバック信号として既設制御系ネットワーク１へと出力される。
【００２２】
このようにして、既設プラント設備の操業中においては、既設制御系ネットワーク１上には、パラメータ設定信号、タイミング信号、制御信号及びフィードバック信号の各種の信号が、相互に関連した関係を保持しつつ時間的に同期性を有した状態で伝送されている。
【００２３】
既設制御系ネットワーク１には、このように既設制御系ネットワーク１上に伝送されている各種の信号データを収集するデータ収集装置７が通信可能に接続されている。このデータ収集装置７には、収集装置信号処理部７ａ、収集装置画面表示部７ｂ及び収集装置データ圧縮解凍処理部７ｃが備えられており、さらに、収集装置信号処理部７ａにはデータ蓄積手段８が接続されている。
【００２４】
収集装置信号処理部７ａは、既設制御系ネットワーク１に伝送されている信号の受信処理及び受信した信号データのデータ蓄積手段８への蓄積処理を実行する中心部分である。
【００２５】
収集装置画面表示部７ｂは、データ収集装置７の操作者へのＧＵＩ（Ｇｒａｐｈｉｃａｌ  Ｕｓｅｒ  Ｉｎｔｅｒｆａｃｅ）を提供するもので、データ収集装置７の操作者は、この収集装置画面表示部７ｂの表示によって、データ収集装置７における信号データの蓄積の進行状況やデータ蓄積手段８に蓄積保存されているデータの内容等を確認することができる。
【００２６】
また、図示は省略しているが、データ収集装置７には操作者からの入力を受け付ける入力装置（例えば、キーボード、マウスやタッチパネル等）も備えられており、操作者は、この入力装置を操作することによって、収集装置画面表示部７ｂの表示内容を変更したり、あるいは、再生装置画面表示部１２ｂの表示内容を確認しながら、データ収集装置７での蓄積対象となる信号の条件を任意に設定したりすることが可能である。
【００２７】
収集装置データ圧縮解凍処理部７ｃは、データ蓄積手段８の記憶容量を有効に活用するため、データ蓄積手段８に信号データを記憶する際に、記憶する信号データにデータ圧縮処理を施すためのものである。また、逆に、データ蓄積手段８に記憶されているデータを取り出す際には、収集装置データ圧縮解凍処理部７ｃは、データ解凍（データ伸長）処理を行って元の信号データへと復元する。
【００２８】
データ蓄積手段８（データアキュムレータ）は、データ収集装置７により収集された信号データ（パラメータ設定信号、タイミング信号、制御信号及びフィードバック信号）を、これら信号データがデータ収集装置７において受信された順序及び時間間隔並びに信号データの内容を正確に反映した状態で蓄積保存するものである。
【００２９】
すなわち、データ蓄積手段８に蓄積保存されるデータテーブルの構成要素には、データ収集装置７における受信時刻、信号種別及び信号の値が少なくとも含まれている。ここで、データ収集装置７における受信時刻はデータ蓄積手段８に蓄積保存されるデータテーブルの時間軸を規定するものであるが、例えば単位時間毎（例えば１ミリ秒毎）に、データ収集装置７において受信された信号の種別及びその値を記憶していくようにしてもよい。
【００３０】
なお、データ蓄積手段８に蓄積する対象とする期間や、対象とする信号の種別等は、前述したように収集装置画面表示部７ｂ等を用いて任意に条件設定可能である。この際に、全ての信号種別毎に１つ１つ設定するのは煩雑に過ぎる場合が考えられるので、蓄積対象とする信号の種別を、プラント設備の構成要素を単位として一括して選択できるようにしてもよい。
【００３１】
ここで、データ蓄積手段８に蓄積する対象期間（収集期間）の設定方法としては、例えば、対象プラント設備における各イベント毎（各工程毎）に自動的に収集を行うようにすることもできる。各イベント（各工程）の開始、終了については既設制御系ネットワーク１に伝送されているタイミング信号の内容を確認することで、自動的に判断可能である。あるいは、予め収集期間のタイムスケジュールを設定しておいてもよいし、（データ蓄積手段８の記憶容量に余裕があるのであれば）単純に必要十分なデータが得られるであろう一定時間の間（例えば２週間程度）、収集を継続して行うようにしてもよい。
【００３２】
以上のようにして、データ収集装置７は、既設制御系ネットワーク１に伝送されている各種の信号データを任意に設定された条件（収集期間、収集対象データ）に従って収集し、データ収集装置７において受信された順序及び時間間隔並びに信号データの内容を正確に反映した状態でデータ蓄積手段８に蓄積保存する。
【００３３】
（データの再生）
次に、この発明に係るプレイバックシミュレーション試験システムにおいて、収集したデータを再生する際の構成を図２を参照しながら説明する。この図２において、９は、後述する新設コントローラ１１の試験環境を構成する各種の機器の間で、必要な信号をやり取りするための試験用制御系ネットワークである。この試験用制御系ネットワーク９も、既設制御系ネットワーク１と同様に、例えばＴＣＰ／ＩＰ等を利用したＬＡＮ（Ｌｏｃａｌ  Ａｒｅａ  Ｎｅｔｗｏｒｋ）から構成されている。
【００３４】
ただし、既設制御系ネットワーク１と試験用制御系ネットワーク９とは、別個に用意される。また、試験用制御系ネットワーク９は、典型的には試験を実施する会社の社内等に敷設された試験用ネットワークであるが、既設制御系ネットワーク１と別個の制御系ネットワークであれば社内ＬＡＮ等に限られない。
【００３５】
試験用制御系ネットワーク９には、既設プラントにおいてデータ収集装置７によってデータ蓄積手段８に蓄積保存された信号の伝送状態を、試験環境（試験用制御系ネットワーク９）において再現するためのデータ再生装置１２が通信可能に接続されている。このデータ再生装置１２は、再生装置信号処理部１２ａ、再生装置画面表示部１２ｂ及び再生装置データ解凍処理部１２ｃを備えており、さらに、再生装置信号処理部１２ａにはデータ蓄積手段８が接続されている。
【００３６】
再生装置信号処理部１２ａは、データ蓄積手段８に蓄積保存されている信号データ（パラメータ設定信号、タイミング信号、制御信号及びフィードバック信号）を、試験用制御系ネットワーク９へと出力する処理を実行する中心部分である。
【００３７】
再生装置画面表示部１２ｂは、データ再生装置１２の操作者へのＧＵＩを提供するもので、データ再生装置１２の操作者は、この再生装置画面表示部１２ｂの表示によって、データ蓄積手段８に蓄積保存されているデータの内容やデータ再生装置１２における信号出力の再生の進行状況等を確認することができる。
【００３８】
また、図示は省略しているが、データ再生装置１２には操作者からの入力を受け付ける入力装置も備えられており、操作者は、この入力装置を操作することによって、再生装置画面表示部１２ｂの表示内容を変更したり、あるいは、再生装置画面表示部１２ｂの表示内容を確認しながら、データ再生装置１２による再生対象となる信号データの条件を任意に設定したりすることが可能である。
【００３９】
再生装置データ解凍処理部１２ｃは、データ蓄積手段８に記憶されているデータを取り出す際に、データ解凍（データ伸長）処理を行って元の信号データへと復元するためのものである。
【００４０】
データ蓄積手段８は、図１のデータ収集装置７に備えられていたものそのものである。すなわち、データ蓄積手段８はデータ収集装置７に着脱自在に設けられており、データの収集後、データ収集装置７から取り外したデータ蓄積手段８をデータ再生装置１２に着脱自在に取り付けて用いる。
【００４１】
前述したように、データ蓄積手段８には、既設制御系ネットワーク１に伝送されていた信号が、その内容並びにデータ収集装置７において受信された順序及び時間間隔を正確に反映した状態で蓄積保存されている。データ再生装置１２の再生装置信号処理部１２ａは、このデータ蓄積手段８に保存されている信号データを、（必要に応じて再生装置データ解凍処理部１２ｃでの復元を経て、）データ蓄積時における順序及び時間間隔並びに値を正確に維持した状態で、試験用制御系ネットワーク９へと出力する。
【００４２】
なお、この際には、データ再生装置１２から試験用制御系ネットワーク９へと再生出力される信号について、対象期間や対象信号種別等を、前述した再生装置画面表示部１２ｂ等を用いて任意に条件設定可能である。例えば、再生対象期間に、データ収集装置７によってデータ蓄積手段８に記録されている全期間を指定することもできるし、記録されている期間のうちの一部の期間を指定することもできる。
【００４３】
以上のようにして、データ再生装置１２は、データ蓄積手段８に蓄積保存されている（すなわち、データ収集装置７において受信された）順序及び時間間隔並びに信号の内容を正確に反映した状態で、試験用制御系ネットワーク９に既設制御系ネットワーク１での信号伝送状態を再現する。換言すれば、出力される信号に注目すれば、データ再生装置１２は、あたかもこのデータ再生装置１２の接続部分に、既設上位計算機２、既設コントローラ３、インバータ４、センサ／アクチュエータ５及びフィールド機器６が接続されているかのように振る舞う。
【００４４】
（データの比較照合）
続いて、この発明に係るプレイバックシミュレーション試験システムにおけるデータの比較照合について同じく図２を参照しながら説明する。試験用制御系ネットワーク９には、前述したデータ再生装置１２に加え、さらに、新設上位計算機１０及び新設コントローラ１１が通信可能に接続されている。
【００４５】
新設上位計算機１０は、図１の既設上位計算機２に相当するものであり、後述する新設コントローラ１１への更新に伴って上位計算機についても追加や置換を行う場合に用いられる。上位計算機の追加や置換を行わない場合は、新設上位計算機１０として既設上位計算機２と同一のものを用いてもよい。
【００４６】
新設コントローラ１１は、図１の既設コントローラ３に相当するものであり、制御対象のプラント設備を構成する機器（既設プラントで新設コントローラ１１の新設・置換を終えた後におけるインバータ４、センサ／アクチュエータ５やフィールド機器６）に対して制御信号を出力し、これらの機器の動作を時間的に適切な相互関係を保った状態で電気的に制御するためのものである。この新設コントローラ１１は、既設コントローラ３と同じく例えばＰＬＣである。
【００４７】
新設コントローラ１１は、新設上位計算機１０から出力されたパラメータ設定信号及びタイミング信号、並びに、データ再生装置１２から再生出力された信号データ（パラメータ設定信号、タイミング信号及びフィードバック信号）に基づいて、出力すべき制御信号を演算して、この演算した制御信号を試験用制御系ネットワーク９へと出力する。
【００４８】
そして、さらに、試験用制御系ネットワーク９には、こうして新設コントローラ１１が出力された制御信号を、データ再生装置１２から再生出力された信号と比較照合するためのデータ比較照合装置１３が通信可能に接続されている。
【００４９】
このデータ比較照合装置１３には、比較照合装置信号処理部１３ａ、比較照合装置画面表示部１３ｂ、比較照合装置データ圧縮解凍処理部１３ｃ、データ比較照合処理部１３ｄ及びデータ記憶部１３ｅが備えられている。
【００５０】
比較照合装置信号処理部１３ａは、試験用制御系ネットワーク９に伝送されている信号の受信処理を実行するためのものである。
比較照合装置画面表示部１３ｂは、データ比較照合装置１３の操作者へのＧＵＩを提供するもので、データ比較照合装置１３の操作者は、この比較照合装置画面表示部１３ｂの表示によって、信号データの比較照合結果等を確認することができる。
【００５１】
また、図示は省略しているが、データ比較照合装置１３には操作者からの入力を受け付ける入力装置も備えられており、操作者は、この入力装置を操作することによって、比較照合装置画面表示部１３ｂの表示内容を変更したり、あるいは、比較照合装置画面表示部１３ｂの表示内容を確認しながら、データ比較照合装置１３による比較照合対象となる信号データの条件を任意に設定したりすることが可能である。
【００５２】
比較照合装置データ圧縮解凍処理部１３ｃは、比較照合装置信号処理部１３ａにより受信された信号や、後述するデータ比較照合処理部１３ｄにおける比較照合結果データを、データ記憶部１３ｅに記憶する際にデータ圧縮処理を施すためのものである。また、逆に、データ記憶部１３ｅからデータを取り出す際にはデータ解凍（データ伸長）処理を行って元のデータに復元する。
【００５３】
データ比較照合処理部１３ｄは、比較照合装置信号処理部１３ａにより受信した試験用制御系ネットワーク９に伝送されている信号のうち、特に、データ再生装置１２から出力された制御信号（再生現地制御信号）と、新設コントローラ１１から出力された制御信号（新制御信号）とを比較照合するものである。この比較照合においては、必要に応じて、他の信号データ（パラメータ設定信号、タイミング信号やフィードバック信号）も参照されるようにしてもよい。
【００５４】
データ比較照合処理部１３ｄによる比較照合結果は、比較照合装置画面表示部１３ｂに例えば、グラフ形式や比較表形式等で表示することができる。また、比較照合結果や受信信号データは、例えばＣＳＶ形式等で外部に出力（エクスポート）することが可能なようにしてもよい。このＣＳＶ形式等によるデータの外部出力機能は、データ収集装置７やデータ再生装置１２にも備えるようにしてもよい。
【００５５】
また、データ比較照合処理部１３ｄにおける比較照合の対象については、データ収集装置７における収集対象やデータ再生装置１２における再生対象と同様に、対象期間や対象データ種別を任意に条件設定することが可能である。
【００５６】
データ記憶部１３ｅは、比較照合装置信号処理部１３ａにより受信された信号や、データ比較照合処理部１３ｄにおける比較照合結果データを、記憶するためのものである。
【００５７】
以上のようにして、既設プラント設備におけるコントローラの置換、更新作業において、既設コントローラから新設コントローラへの円滑な移行や新機能追加を図るため、現地でのパララン照合環境と等価なシミュレーション試験環境を構築することができる。そして、シミュレーション試験環境において新設コントローラから出力される新制御信号を既設プラント環境における現地制御信号と比較照合し、新設コントローラから出力される新制御信号の欠損等の異常がないかどうかを確認することができる。
【００５８】
なお、以上においてはコントローラの上位に上位計算機（既設上位計算機２、新設上位計算機１０）が設置されている構成を前提としてきたが、特に規模が比較的小さいプラント等の場合、上位計算機が設置されていなくともよい。
【００５９】
以上のように構成されたプレイバックシミュレーション試験システムは、第１の制御系ネットワーク（既設制御系ネットワーク１）に接続された既設プラント設備の構成機器、既設コントローラ、及び、第１の制御系ネットワークに伝送されている少なくとも制御信号を含む信号データを収集するデータ収集装置と、データ収集装置により収集された信号データを蓄積保存するデータ蓄積手段と、第２の制御系ネットワーク（試験用制御系ネットワーク９）接続された、前記構成機器を電気的に制御するための制御信号を出力する機能を有する新設コントローラ、データ蓄積手段に蓄積保存されている信号データを再生出力するデータ再生装置、及び、データ再生装置から再生出力された信号データと新設コントローラから出力された制御信号とを比較照合するデータ比較照合装置と、を備えたものである。
【００６０】
このため、現地でのパララン照合環境と等価なシミュレーション試験環境を容易に構築し、より正確に新設コントローラの動作確認や調整を実施することができる。
【符号の説明】
【００６１】
１    既設制御系ネットワーク
２    既設上位計算機
３    既設コントローラ
４    インバータ
５    センサ／アクチュエータ
６    フィールド機器
７    データ収集装置
７ａ  収集装置信号処理部
７ｂ  収集装置画面表示部
７ｃ  収集装置データ圧縮解凍処理部
８    データ蓄積手段
９    試験用制御系ネットワーク
１０    新設上位計算機
１１    新設コントローラ
１２    データ再生装置
１２ａ  再生装置信号処理部
１２ｂ  再生装置画面表示部
１２ｃ  再生装置データ解凍処理部
１３    データ比較照合装置
１３ａ  比較照合装置信号処理部
１３ｂ  比較照合装置画面表示部
１３ｃ  比較照合装置データ圧縮解凍処理部
１３ｄ  データ比較照合処理部
１３ｅ  データ記憶部
【図１】
0005803633.tif 000002
【図２】
0005803633.tif 000003